(57)【要約】      （修正有）【課題】移動機が、リソースを識別できるようにするパラメータを決定する方法を提供する。【解決手段】リソースを移動局に割り当てるステップと、割り当てられたリソースに対応する第１及び第２のパラメータからなる対を決定するステップであって、決定された対が、割り当て可能なリソースに対応する各対の中でのランクを有する、対を決定するステップと、決定された第１及び第２のパラメータの対より低いランクを有する第１及び第２のパラメータの各対に対して第３のパラメータが取り得る可能な値の個数の合計に少なくとも等しい値を取得するステップと、決定された値を移動局に転送するステップと、を含む。【選択図】図７
2011151802.tif 000002
【特許請求の範囲】
【請求項１】
無線通信ネットワークのどのリソースが基地局（ＢＳ）によって移動局（ＭＳ）に割り当てられるかを前記移動局が識別できるようにする、少なくとも第１（Ｎ）、第２（Ｍ）、第３（Ｌ）のパラメータから得られる値を決定する方法であって、
前記方法は前記基地局によって実行され、
前記方法は、
‐総数（ＮRBG）のリソースの中から、リソースを移動局に割り当てるステップ（Ｓ７００）
を含む、方法において、
前記方法は、
‐前記割り当てられたリソースに対応する、第１及び第２のパラメータからなる対を決定するステップであって、前記決定された対は、割り当て可能なリソースに対応する各対の中でのランクを有する、対を決定するステップと、
‐前記決定された第１及び第２のパラメータの対よりも低いランクを有する第１及び第２のパラメータの各対に対して前記第３のパラメータが取り得る可能な値の個数の合計に少なくとも等しい値を取得するステップ（Ｓ７０２）と、
‐前記決定された値を前記移動局に転送するステップ（Ｓ７０３）と、
を含むことを特徴とする方法。
【請求項２】
前記割り当てられたリソースは、少なくとも１つのリソースからなる第１のクラスタと、少なくとも１つのリソースからなる第２のクラスタとに分割され、
前記第１のクラスタと前記第２のクラスタとは非連続である
ことを特徴とし、かつ、
前記第１のパラメータは、前記移動局に割り当てられたリソースの数を２で割り算したものであり、
前記第２のパラメータは、前記移動局に割り当てられた最初のリソースのインデックスであり、
前記第３のパラメータは、前記第１および第２のクラスタを隔てるリソースの数であり、
前記決定された第１及び第２のパラメータの前記対よりも低いランクを有する第１及び第２のパラメータの各対に対して前記第３のパラメータが取り得る可能な値の個数の合計に少なくとも等しい前記値は、
前記決定された第１及び第２のパラメータの前記対よりも低いランクを有する第１及び第２のパラメータの各対に対して前記第３のパラメータが取り得る可能な値の個数の合計に、前記第３のパラメータの値を表す情報を加えたもの
に等しいことを特徴とする請求項１に記載の方法。
【請求項３】
前記第１のクラスタと第２のクラスタとが同じ数のリソースを含むことを特徴とする請求項２に記載の方法。
【請求項４】
前記第１のクラスタと第２のクラスタとが異なる数のリソースを含むことを特徴とし、かつ、
前記方法は、前記クラスタの中で割り当てられたリソースの分布を表す情報を転送するステップを更に含むことを特徴とする請求項２に記載の方法。
【請求項５】
前記割り当てられたリソースが、少なくとも１つのリソースからなる第１のクラスタと、少なくとも１つのリソースからなる第２のクラスタとに分割され、
前記第１のクラスタと第２のクラスタとは非連続であり、
前記第１のパラメータは、前記移動局に割り当てられたリソース数を２で割り算したものであり、
前記第２のパラメータは、前記移動局に割り当てられた最初のリソースのインデックスであり、
前記決定された第１及び第２のパラメータの前記対よりも低いランクを有する第１及び第２のパラメータの各対に対して前記第３のパラメータが取り得る可能な値の個数の合計に少なくとも等しい前記値は、
前記決定された第１及び第２のパラメータの前記対よりも低いランクを有する第１及び第２のパラメータの各対に対して前記第３のパラメータが取り得る可能な値の個数の合計に、前記第３のパラメータの値を表す情報を加えたもの
に等しいことを特徴とする請求項１に記載の方法。
【請求項６】
前記割り当てられたリソースが、偶数のリソースからなる１つのクラスタに分割され、
前記第１のパラメータは、前記クラスタ内のリソース数を２で割り算したものであり、
前記第２のパラメータは、前記移動局に割り当てられた最初のリソースのインデックスであり、
前記決定された第１及び第２のパラメータの前記対よりも低いランクを有する第１及び第２のパラメータの各対に対して前記第３のパラメータが取り得る可能な値の個数の合計に少なくとも等しい前記値は、
前記決定された第１及び第２のパラメータの前記対よりも低いランクを有する第１及び第２のパラメータの各対に対して前記第３のパラメータが取り得る可能な値の個数の合計
に等しい
ことを特徴とする請求項１に記載の方法。
【請求項７】
前記割り当てられたリソースが、偶数のリソースからなる１つのクラスタに分割され、
前記第１のパラメータは、前記クラスタ内のリソース数を２で割り算したものであり、
前記第２のパラメータは、前記移動局に割り当てられた最初のリソースのインデックスであり、
前記無線通信ネットワークの前記リソースはランク付けされ、
最後２つの連続したリソースのうちいずれかが前記移動局に割り当てられた場合には、
前記決定された第１及び第２のパラメータの前記対よりも低いランクを有する第１及び第２のパラメータの各対に対して前記第３のパラメータが取り得る可能な値の個数の合計に少なくとも等しい前記値は、
前記決定された第１及び第２のパラメータの前記対よりも低いランクを有する第１及び第２のパラメータの各対に対して前記第３のパラメータが取り得る可能な値の個数の合計に、１、２又は３を加えたものに等しい
ことを特徴とする請求項１に記載の方法。
【請求項８】
前記割り当てられたリソースが、奇数のリソースからなる１つのクラスタに分割され、
前記第１のパラメータは、前記クラスタ内のリソース数に１を加えた数を２で割り算したものであり、
前記第２のパラメータは、前記移動局に割り当てられた最初のリソースのインデックスであり、
前記決定された第１及び第２のパラメータの前記対よりも低いランクを有する第１及び第２のパラメータの各対に対して前記第３のパラメータが取り得る可能な値の個数の合計に少なくとも等しい前記値は、
前記決定された第１及び第２のパラメータの前記対よりも低いランクを有する第１及び第２のパラメータの各対に対して前記第３のパラメータが取り得る可能な値の個数の合計に、前記無線通信ネットワークのリソース数の合計を加え、１を加え、前記第１のパラメータの２倍を減じ、前記第２パラメータの値を減じた値に等しい
ことを特徴とする請求項１に記載の方法。
【請求項９】
前記割り当てられたリソースが、奇数のリソースからなる１つのクラスタに分割され、
前記第１のパラメータは、前記クラスタ内のリソース数に１を足し算した値を２で割り算したものであり、
前記第２のパラメータは、前記移動局に割り当てられた最初のリソースのインデックスであり、
前記無線通信ネットワークの前記リソースはランク付けされ、
最後２つの連続したリソースが前記移動局に割り当てられた場合には、
前記決定された第１及び第２のパラメータの前記対よりも低いランクを有する第１及び第２のパラメータの各対に対して前記第３のパラメータが取り得る可能な値の個数の合計に少なくとも等しい前記値は、
前記決定された第１及び第２のパラメータの前記対よりも低いランクを有する第１及び第２のパラメータの各対に対して前記第３のパラメータが取り得る可能な値の個数に２を加えたものの合計に、前記無線通信ネットワークのリソース数の合計を加え、１を加え、第１パラメータの２倍を減じ、第２のパラメータの値を減じ、１又は２又は３を加えた値に等しい
ことを特徴とする請求項１に記載の方法。
【請求項１０】
前記割り当てられたリソースが、
少なくとも１つのリソースからなる第１のクラスタと、
少なくとも１つのリソースからなる第２のクラスタと、
少なくとも１つのリソースからなる第３のクラスタと
に分割され、
各クラスタは他のクラスタと非連続であり、
前記第２のクラスタは前記第１のクラスタ及び前記第３のクラスタから同じリソース数だけ隔てられており、
各クラスタは、前記第１のパラメータと等しい同じ数のリソースを含み、
前記第２のパラメータは、前記移動局に割り当てられた最初のリソースのインデックスであり、
前記第３のパラメータは、前記第１のクラスタ及び第３のクラスタから前記第２のクラスタを隔てるリソース数である
ことを特徴とする請求項１に記載の方法。
【請求項１１】
前記割り当てられたリソースが、少なくとも１つのリソースからなる非連続な複数のクラスタに分割され、
各クラスタは、少なくとも１つのクラスタから、同じ数のリソースだけ隔てられており、
各クラスタは、前記第１のパラメータと等しい同じ数のリソースを含み、
前記第２のパラメータは、前記移動局に割り当てられた最初のリソースのインデックスであり、
少なくとも２つのクラスタを隔てるリソース数が前記第３のパラメータである
ことを特徴とする請求項１に記載の方法。
【請求項１２】
無線通信ネットワークのどのリソースが基地局（ＢＳ）によって移動局（ＭＳ）に割り当てられるかを前記移動局が識別できるようにする第１（Ｎ）、第２（Ｍ）、第３（Ｌ）のパラメータを決定する方法において、
前記方法は、前記移動局によって実行される複数のステップとして、
‐前記基地局から値を受信するステップ（Ｓ１１０）であって、
前記値は、前記移動局に割り当てられたリソースを表す前記第１及び第２のパラメータからなる対と、前記移動局に割り当てられた前記リソースを表す前記第３のパラメータとを表し、
前記対は、割り当て可能なリソースに対応する各対の中のランクを有し、
前記値は、前記第１及び第２のパラメータの対よりも低いランクを有する第１及び第２のパラメータの各対に対して前記第３のパラメータが取り得る可能な値の個数の合計に少なくとも等しい
値を受信するステップと、
‐前記受信された値から前記各パラメータを決定するステップ（Ｓ１１１）と、
‐総数（ＮRBG）のリソースの中から、前記決定されたパラメータに基づいて前記割り当てられたリソースを識別するステップ（Ｓ１１２）と、
を含むことを特徴とする方法。
【請求項１３】
無線通信ネットワークのどのリソースが基地局（ＢＳ）によって移動局（ＭＳ）に割り当てられるかを前記移動局が識別できるようにする第１（Ｎ）、第２（Ｍ）、第３（Ｌ）のパラメータから得られる値を決定する装置であって、
情報を決定するための前記装置は、
‐総数（ＮRBG）のリソースの中から、前記移動局にリソースを割り当てる手段
を含み、
前記情報を決定するための前記装置は、
‐前記割り当てられたリソースに対応する第１及び第２のパラメータからなる対を決定する手段であって、前記決定された対が、割り当て可能なリソースに対応する各対の中でのランクを有する、対を決定する手段と、
‐前記決定された第１及び第２のパラメータの対よりも低いランクを有する第１及び第２のパラメータの各対に対して前記第３のパラメータが取り得る可能な値の個数の合計に少なくとも等しい値を取得するための手段と、
‐前記決定された値を、前記移動局に転送する手段と、
を更に含むことを特徴とする装置。
【請求項１４】
無線通信ネットワークのどのリソースが基地局（ＢＳ）によって移動局（ＭＳ）に割り当てられるかを前記移動局が識別できるようにする第１（Ｎ）、第２（Ｍ）、第３（Ｌ）のパラメータを決定する装置であって、
前記パラメータを決定するための前記装置は、前記移動局に含まれ、
前記パラメータを決定するための前記装置は、
−前記基地局から値を受信するための手段であって、
前記値は、前記移動局に割り当てられたリソースを表す前記第１及び第２のパラメータからなる対と、前記移動局に割り当てられた前記リソースを表す前記第３のパラメータとを表し、
前記対は、割り当て可能なリソースに対応する各対の中のランクを有し、
前記値は、前記第１及び第２のパラメータの対よりも低いランクを有する第１及び第２のパラメータの各対に対して前記第３のパラメータが取り得る可能な値の個数の合計に少なくとも等しい
値を受信するための手段と、
‐前記受信された値から前記各パラメータを決定する手段と、
‐総数（ＮRBG）のリソースの中から、前記決定されたパラメータに基づいて前記割り当てられたリソースを識別する手段と、
を含むことを特徴とする装置。
【請求項１５】
プログラム可能な装置に直接ロード可能とすることができるコンピュータプログラムであって、
前記コンピュータプログラムがプログラム可能な装置において実行されるときに請求項１〜１１のいずれか一項に記載の方法における前記各ステップを実施するための、コード部分又は命令を含む
コンピュータプログラム。
【請求項１６】
プログラム可能な装置に直接ロード可能とすることができるコンピュータプログラムであって、
前記コンピュータプログラムがプログラム可能な装置において実行されるときに請求項１２に記載の方法における前記各ステップを実施するためのコード部分又は命令を含む
コンピュータプログラム。
【発明の詳細な説明】
【技術分野】
【０００１】
本発明は、概して、無線通信ネットワークのどのリソースが移動局に割り当てられるかを、その移動局が識別できるようにする少なくとも第１、第２、第３のパラメータから得られる情報を決定するための方法及び装置に関する。
【０００２】
より具体的には、本発明は、無線通信ネットワーク内の移動局に割り当てられるリソースのシグナリングの分野に関する。
【背景技術】
【０００３】
直交周波数分割多重方式（ＯＦＤＭ）は、周波数分割多重方式（ＦＤＭ）の原理に基づいており、デジタル変調方式として実現される。伝送されるべきビットストリームは、複数の並列のビットストリームに分割される（通常では、数十〜数千）。利用可能な周波数スペクトルは、複数のサブチャネルに分割される。低レートの各ビットストリームは、ＰＳＫやＱＡＭ等の標準的な変調方式を使用してサブキャリアを変調することにより１つのサブチャネルで伝送される。サブキャリア周波数は、変調されたデータストリームが互いに直交するように、即ち、サブチャネル間のクロストークが除去されるように選択される。
【０００４】
ＯＦＤＭの主な利点は、複雑なイコライゼーションフィルタなしでも、厳しいチャネル条件（例えば、マルチパスや狭周波数帯干渉）に対応できるということである。チャネルイコライゼーションは、高速に変調される１つの広帯域信号ではなく、低速で変調される多くの狭帯域信号を使用することで簡略化される。
【０００５】
ＤＦＴ拡散ＯＦＤＭ又はＳＣ−ＦＤＭＡ（シングルキャリア周波数分割多元接続）と呼ばれる異なった種類の方式が開発されている。このようなシステムでは、伝送される各シンボルは、ＤＦＴ（離散フーリエ変換）によって一組の伝送周波数上で拡散され、結果としてもたらされる信号は従来のＯＦＤＭＡ伝送システムで送信される。
【０００６】
符号化／復号の実装については、周波数ドメインでの実装が好ましいと考えられるが、実際には周波数ドメイン又は時間ドメインのいずれかで行われる。
【０００７】
使用されるサブキャリアが連続的なサブバンドに割り当てできないため、複数のクラスタへの分離の必要がある場合がある。これにより、クラスタードＳＣ−ＦＤＭＡ(Clustered SC-FDMA)が生まれた。これは、ローカライズされたＳＣ−ＦＤＭＡに対してより柔軟なサブキャリアマッピングを行えるという利点があり、スケジューリングの向上及びマルチユーザの多重化の向上につながる。
【先行技術文献】
【特許文献】
【０００８】
【特許文献１】欧州特許出願公開第２１３６５０３Ａ２号明細書
【発明の概要】
【発明が解決しようとする課題】
【０００９】
本発明の目的は、通信デバイスに割り当てられるサブキャリアが連続的又は非連続的であり、かつ割り当てられたサブキャリアのシグナリングが削減される通信システムを提供することにある。
【課題を解決するための手段】
【００１０】
このために、本発明は、無線通信ネットワークのどのリソースが基地局によって移動局に割り当てられるかを移動局が識別できるようにする少なくとも第１、第２、第３のパラメータから得られる値を決定する方法であって、
前記方法は、
−リソースを移動局に割り当てるステップと、
−割り当てられたリソースに対応する、第１及び第２のパラメータからなる対を決定するステップであって、決定された対は、割り当て可能なリソースに対応する各対の中でのランクを有する、対を決定するステップと、
−決定された第１及び第２のパラメータの対よりも低いランクを有する第１及び第２のパラメータの各対に対して第３のパラメータが取り得る可能な値の個数の合計に少なくとも等しい値を取得するステップと、
決定された値を移動局に転送するステップと、を含む方法に関する。
【００１１】
本発明はまた、無線通信ネットワークのどのリソースが基地局によって移動局に割り当てられるかを移動局が識別できるようにする第１、第２、第３のパラメータから得られる値を決定する装置であって、
情報を決定するための装置が、
−移動局にリソースを割り当てる手段と、
−割り当てられたリソースに対応する、第１及び第２のパラメータからなる対を決定する手段であって、決定された対が、割り当て可能なリソースに対応する各対の中でのランクを有する、対を決定する手段と、
−決定された第１及び第２のパラメータの対よりも低いランクを有する第１及び第２のパラメータの各対に対して第３のパラメータが取り得る可能な値の個数の合計に少なくとも等しい値を取得するための手段と、
−決定された値を、移動局に転送する手段と、
を含むことを特徴とする装置に関する。
したがって、割り当てられるリソースのシグナリングを低減した状態で、無線通信ネットワークの連続的または非連続的なリソースを移動局に割り当てることができる。
【００１２】
特定の特徴によれば、
割り当てられたリソースが、少なくとも１つのリソースからなる第１のクラスタと、少なくとも１つのリソースからなる第２のクラスタとに分割され、
第１及び第２のクラスタは非連続であり、
第１のパラメータは移動局に割り当てられたリソース数を２で割り算したものであり、
第２のパラメータは移動局に割り当てられた第１のリソースのインデックスであり、
第３のパラメータは各クラスタを隔てるリソース数であり、
決定された第１及び第２のパラメータの対よりも低いランクを有する第１及び第２のパラメータの各対に対して第３のパラメータが取り得る可能な値の個数の合計に少なくとも等しい値は、
決定された第１及び第２のパラメータの対よりも低いランクを有する第１及び第２のパラメータの各対に対して第３のパラメータが取り得る可能な値の個数の合計に、第３のパラメータの値を表す情報を加えたもの
に等しい。
【００１３】
したがって、シグナリングオーバーヘッドの量が最小限に抑えられる。
【００１４】
特定の特徴によれば、第１及び第２のクラスタは同じ数のリソースを含む。
【００１５】
結果として生じる信号のピーク対平均電力比が抑えられる。
【００１６】
特定の特徴によれば、第１のクラスタ及び第２のクラスタは異なる数のリソースを含み、方法は、各クラスタにおけるリソースの割合を表す情報を転送するステップを更に含む。
【００１７】
したがって、リソース割り当て方式の柔軟性が高まる。
【００１８】
特定の特徴によれば、
割り当てられたリソースが、少なくとも１つのリソースからなる第１のクラスタと、少なくとも１つのリソースからなる第２のクラスタとに分割され、
第１のクラスタと第２のクラスタとは非連続であり、
第１のパラメータは移動局に割り当てられたリソース数を２で割り算したものであり、
第２のパラメータは移動局に割り当てられた最初のリソースのインデックスであり、
決定された第１及び第２のパラメータの対よりも低いランクを有する第１及び第２のパラメータの各対に対して第３のパラメータが取り得る可能な値の個数の合計に少なくとも等しい値は、
決定された第１及び第２のパラメータの対よりも低いランクを有する第１及び第２のパラメータの各対に対して第３のパラメータが取り得る可能な値の個数の合計に、第３のパラメータの値を表す情報を加えたものに等しい。
【００１９】
特定の特徴によれば、
割り当てられたリソースが偶数のリソースからなる１つのクラスタに分割され、
第１のパラメータはクラスタ内のリソース数を２で割り算したものであり、
第２のパラメータは移動局に割り当てられた最初のリソースのインデックスであり、
決定された第１及び第２のパラメータの対よりも低いランクを有する第１及び第２のパラメータの各対に対して第３のパラメータが取り得る可能な値の個数の合計に少なくとも等しい値は、
決定された第１及び第２のパラメータの対よりも低いランクを有する第１及び第２のパラメータの各対に対して第３のパラメータが取り得る可能な値の個数の合計に等しい。
【００２０】
したがって、第１の割り当てられたリソースのインデックスが、最大でもリソースの総数から３を減じた値に等しい位置で開始される場合には、偶数リソースでの連続的な割り当ても有効になる。リソース割り当て方式の柔軟性が改善される。
【００２１】
特定の特徴によれば、
割り当てられたリソースが偶数のリソースからなる１つのクラスタに分割され、
第２のパラメータは移動局に割り当てられた最初のリソースのインデックスであり、
無線通信ネットワークのリソースはランク付けされ、
最後２つの連続したリソースの両方が移動局に割り当てられた場合には、
決定された第１及び第２のパラメータの対よりも低いランクを有する第１及び第２のパラメータの各対に対して第３のパラメータが取り得る可能な値の個数の合計に少なくとも等しい値は、
決定された第１及び第２のパラメータの対よりも低いランクを有する第１及び第２のパラメータの各対に対して第３のパラメータが取り得る可能な値の個数の合計に、１又は２又は３を加えた値に等しい。
【００２２】
したがって、リソースの総数から２を減じた値に等しい位置で開始される２つのリソースの連続的な割り当ても有効になる。リソース割り当て方式の柔軟性が改善される。
【００２３】
特定の特徴によれば、
割り当てられたリソースが奇数のリソースからなる１つのクラスタに分割され、
第１のパラメータは、クラスタ内のリソース数に１を加えた数を２で割り算したものであり、
第２のパラメータは移動局に割り当てられた最初のリソースのインデックスであり、
決定された第１及び第２のパラメータの対よりも低いランクを有する第１及び第２のパラメータの各対に対して第３のパラメータが取り得る可能な値の個数の合計に少なくとも等しい値は、
決定された第１及び第２のパラメータの対よりも低いランクを有する第１及び第２のパラメータの各対に対して第３のパラメータが取り得る可能な値の個数の合計に、無線通信ネットワークのリソース数の合計を加え、１を加え、第１のパラメータの２倍を減じ、第２パラメータの値を減じた値に等しい。
【００２４】
したがって、第１の割り当てられたリソースのインデックスが、最大でリソースの総数から３を減じた値に等しい位置で開始されるときの奇数のリソースでの連続的な割り当ても有効になる。リソース割り当て方式の柔軟性が改善される。
【００２５】
特定の特徴によれば、
割り当てられたリソースが奇数のリソースからなる１つのクラスタに分割され、
第１のパラメータは、クラスタ内のリソース数に１を加えた数を２で割り算したものであり、
第２のパラメータは移動局に割り当てられた最初のリソースのインデックスであり、
無線通信ネットワークのリソースはランク付けされ、
最後２つの連続したリソースのいずれかが移動局に割り当てられた場合には、
決定された第１及び第２のパラメータの対よりも低いランクを有する第１及び第２のパラメータの各対に対して第３のパラメータが取り得る可能な値の個数の合計に少なくとも等しい値は、
決定された第１及び第２のパラメータの対よりも低いランクを有する第１及び第２のパラメータの各対に対して第３のパラメータが取り得る可能な値の個数の合計に、１又は２又は３を加えた値に等しい。
【００２６】
したがって、リソースの総数から２又は１を減じた値に等しい位置で開始される１つのリソースの割り当ても有効になる。リソース割り当て方式の柔軟性が改善される。
【００２７】
特定の特徴によれば、
割り当てられたリソースが、
少なくとも１つのリソースからなる第１のクラスタと、
少なくとも１つのリソースからなる第２のクラスタと、
少なくとも１つのリソースからなる第３のクラスタと
に分割され、
各クラスタは他のクラスタと非連続であり、
第２のクラスタは第１のクラスタ及び第３のクラスタから同じリソース数だけ隔てられており、
各クラスタは第１のパラメータと等しい同じ数のリソースを含み、
第２のパラメータは移動局に割り当てられた最初のリソースのインデックスであり、
第３のパラメータは第１のクラスタ及び第３のクラスタから第２のクラスタを隔てるリソース数である。
【００２８】
したがって、３つのクラスタの割り当てが可能になる。リソース割り当て方式の柔軟性が改善される。
【００２９】
特定の特徴によれば、
割り当てられたリソースが、少なくとも１つのリソースからなる非連続な複数のクラスタに分割され、
各クラスタは、少なくとも１つのクラスタから同じ数のリソースだけ隔てられており、
各クラスタは第１のパラメータと等しい同じ数のリソースを含み、
第２のパラメータは移動局に割り当てられた最初のリソースのインデックスであり、
少なくとも２つのクラスタを隔てるリソース数が第３のパラメータである。
【００３０】
したがって、複数のクラスタの割り当てが可能になる。リソース割り当て方式の柔軟性が改善される。
【００３１】
特定の特徴によれば、本発明は、無線通信ネットワークのどのリソースが基地局によって移動局に割り当てられるかを移動局が識別できるようにする第１、第２、及び少なくとも第３のパラメータを決定する方法であって、
前記方法は、移動局によって実行される複数のステップとして、
−基地局から値を受信するステップであって、
前記値は、移動局に割り当てられたリソースを表す第１及び第２のパラメータからなる対と、移動局に割り当てられたリソースを表す第３のパラメータとを少なくとも表し、
前記対は、割り当て可能なリソースに対応する各対の中のランクを有し、
前記値は、第１及び第２のパラメータの対よりも低いランクを有する第１及び第２のパラメータの各対に対して第３のパラメータが取り得る可能な値の個数の合計に少なくとも等しい
値を受信するステップと、
−受信された値からパラメータを決定するステップと、
−割り当てられたリソースを決定されたパラメータに基づいて識別するステップと、
を含むことを特徴とする方法に関する。
【００３２】
本発明はまた、無線通信ネットワークのどのリソースが基地局によって移動局に割り当てられるかを前記移動局が識別できるようにする第１、第２、及び少なくとも第３のパラメータを決定する装置であって、
パラメータを決定するための装置は移動局内に含まれ、
パラメータを決定するための装置は、
−基地局から値を受信する手段であって、
前記値は移動局に割り当てられたリソースを表す第１及び第２のパラメータからなる対と、移動局に割り当てられたリソースを表す第３のパラメータとを表し、
前記対は割り当て可能なリソースに対応する各対の中のランクを有し、
前記値は第１及び第２のパラメータの対よりも低いランクを有する第１及び第２のパラメータの各対に対して第３のパラメータが取り得る可能な値の個数の合計に少なくとも等しい
値を受信する手段と、
−受信された値から各パラメータを決定する手段と、
−割り当てられたリソースを決定された各パラメータに基づいて識別する手段と、
を含むことを特徴とする装置に関する。
【００３３】
したがって、割り当てられるリソースのシグナリングを削減して、無線通信ネットワークの連続的又は非連続的なリソースを移動局に割り当てることができる。
【００３４】
更に別の様態によれば、本発明は、プログラム可能な装置に直接ロード可能とすることができるコンピュータプログラムであって、コンピュータプログラムがプログラム可能な装置において実行されるときに本発明に係る方法における各ステップを実施するためのコード部分又は命令を含むコンピュータプログラムに関する。
【００３５】
コンピュータプログラムに関係する機能及び利点は、本発明に係る方法及び装置に関連する前述した内容と同じであるので、ここでは省略する。
【００３６】
本発明の特徴は、以下に示す例示的な実施形態の説明を読めばより明らかになるであろう。以下の内容は添付の図面を参照しながら説明する。
【図面の簡単な説明】
【００３７】
【図１】本発明が実施される無線セルラー通信ネットワークを表す。
【図２】本発明が実施される基地局のアーキテクチャを示す図である。
【図３】本発明が実施される移動局のアーキテクチャを示す図である。
【図４】周波数領域において本発明の特定の実施形態に係る移動局に含まれる符号器のアーキテクチャを示す。
【図５】本発明の特定の実施形態に係る１つ又は複数の受信アンテナを備える基地局における復号器のアーキテクチャを示す。
【図６】本発明に係るパラメータと、移動局に割り当てられた２つのリソースブロックグループクラスタの例を示す。
【図７】移動局に割り当てられたリソースブロックグループを表す少なくとも３つのパラメータを示すために、基地局によって実行されるアルゴリズムの例を開示する。
【図８】第１の実現モードに従って様々な値を示すための第１の方法を表す。これらの値は、移動局にどのリソースブロックグループが割り当てられるかを移動局が識別できるようにする、３つのパラメータを表す情報を取り得る。
【図９】本発明を実現する第１のモードを実現する特定のモードに従って使用される表を示す。
【図１０】第２の実現モードに従って様々な値を示すための第２の方法を表す。これらの値は、移動局にどのリソースブロックグループが割り当てられるかを移動局が識別できるようにする、３つのパラメータを表す情報を取り得る。
【図１１】本発明に係る移動局によって実行されるアルゴリズムの例を開示する。
【図１２】第３の実現モードに従って様々な値を示すための第３の方法を表す。これらの値は、移動局にどのリソースブロックグループが割り当てられるかを移動局が識別できるようにする、少なくとも３つのパラメータを表す情報を取り得る。
【発明を実施するための形態】
【００３８】
図１は本発明が実施される無線セルラー通信ネットワークを表している。
【００３９】
本発明は通信システムが無線セルラー通信システムである例を挙げて説明する。
【００４０】
本発明はまた、無線通信システム又は有線通信システム（ローカルエリアネットワーク等）に適用することも可能である。
【００４１】
その場合、基地局及び移動局は、放射器及び／又は受信機となる。
【００４２】
図１には、無線セルラー通信ネットワークの一基地局ＢＳと移動局ＭＳとが図示されている。
【００４３】
本発明では、移動局ＭＳによって使用される無線セルラー通信ネットワークのリソースが基地局ＢＳによって割り当てられる場合について説明する。
【００４４】
無線セルラー通信ネットワークのリソースは、無線セルラー通信ネットワークによって使用される周波数スペクトルである。周波数スペクトルは、例えば、複数のリソースブロックからなる複数のグループに分解され、各リソースブロックは予め決められた数（例えば、１２）のサブキャリアを有する。
【００４５】
ここで、変形例では、１つのリソースブロックを単一のサブキャリアから構成できることに留意されたい。
【００４６】
本発明はリソースブロックグループを使用して開示される。本発明はまた、リソースブロックにも適用可能である。
【００４７】
基地局ＢＳは、複数の基地局を含む無線セルラー通信ネットワークの基地局である。
【００４８】
明確にするため移動局ＭＳは１つしか図示していないが、無線セルラー通信ネットワークは、基地局ＢＳと通信する移動局ＭＳをより多数有してもよい。
【００４９】
基地局ＢＳはノード又はアクセスポイントと称することが可能である。
【００５０】
移動局ＭＳは、パーソナルコンピュータ、周辺装置（セットトップボックス等）、又は電話とすることができる。
【００５１】
本発明によれば、無線セルラー通信ネットワークの移動局ＭＳ又は任意のコアネットワーク装置を処理する基地局ＢＳは、次のことを行う。
−リソースを移動局に割り当てる。
−割り当てられたリソースに対応する第１及び第２パラメータからなる対を決定する。決定された対は、割り当て可能なリソースに対応する各対の中でのランクを有する。
−値を取得する。この値は、第１及び第２のパラメータからなる対（ただし、決定された第１及び第２のパラメータからなる対よりもランクが低いもの）のそれぞれについて第３のパラメータが取り得る、可能な値の個数の合計に少なくとも等しい値である。
−少なくとも決定された値を移動局に転送する。
【００５２】
移動局は以下のことを行う。
−基地局から値を受信する。この値は、移動局に割り当てられたリソースを表す第１及び第２のパラメータからなる対と、移動局に割り当てられたリソースを表す第３のパラメータとを表す値である。この対は、割り当て可能なリソースに対応する各対の中でのランクを有する。この値は、第１及び第２のパラメータからなる対（ただし、第１及び第２のパラメータからなる対よりもランクが低いもの）のそれぞれについて第３のパラメータが取り得る、可能な値の個数の合計に少なくとも等しい値である。
−受信した値を基にパラメータを決定する。
−割り当てられたリソースを、決定されたパラメータに基づいて識別する。
【００５３】
図２は本発明が実施される基地局のアーキテクチャを示す図である。
【００５４】
基地局ＢＳのアーキテクチャは、例えば、バス２０１によって相互に連結される構成要素や図７に開示されるようなプログラムによって制御されるプロセッサ２００に基づいている。
【００５５】
ここで基地局ＢＳは専用の集積回路に基づくアーキテクチャを備えてもよいことに注目する必要がある。
【００５６】
バス２０１により、プロセッサ２００は、読み取り専用メモリＲＯＭ２０２、ランダムアクセスメモリＲＡＭ２０３、無線インターフェイス２０５、及びネットワークインターフェイス２０６とリンクしている。
【００５７】
メモリ２０３は、変数を収容することを意図するレジスタと、図７に開示されたアルゴリズムに関連するプログラムの命令とを含む。
【００５８】
プロセッサ２００は、ネットワークインターフェイス２０６及び無線インターフェイス２０５の動作を制御する。
【００５９】
読み取り専用メモリ２０２は、図７に開示されたアルゴリズムに関連するプログラムの命令を含む。これらの命令は、基地局ＢＳの電源が投入されたときにランダムアクセスメモリ２０３に転送される。
【００６０】
基地局ＢＳは、ネットワークインターフェイス２０６を介して通信ネットワークに接続してもよい。例えば、ネットワークインターフェイス２０６としては、ＤＳＬ（デジタル加入者線）モデムやＩＳＤＮ（デジタル総合サービス網）インターフェイス等がある。
【００６１】
無線インターフェイス２０５は、移動局ＭＳに割り当てられたサブキャリアを表す情報を転送する手段を備える。
【００６２】
無線インターフェイス２０５は図５に開示される復号器を備える。無線インターフェイス２０５は、図４に開示される符号器を備えてもよい。
【００６３】
図３は本発明が実施される移動局のアーキテクチャを示す図である。
【００６４】
移動局ＭＳのアーキテクチャは、例えば、バス３０１によって互いに連結される構成要素と、図１１に開示されるようなプログラムによって制御されるプロセッサ３００とを備える。
【００６５】
ここで移動局ＭＳは、専用の集積回路に基づくアーキテクチャを備えてもよいことに注目する必要がある。
【００６６】
バス３０１により、プロセッサ３００は、読み取り専用メモリＲＯＭ３０２、ランダムアクセスメモリＲＡＭ３０３、及び無線インターフェイス３０５とリンクしている。
【００６７】
メモリ３０３は、変数を収容することを意図するレジスタと、図１１に開示されたアルゴリズムに関連するプログラムの命令とを含む。
【００６８】
プロセッサ３００は、無線インターフェイス３０５の動作を制御する。
【００６９】
読み取り専用メモリ３０２は、図１１に開示されるアルゴリズムに関連するプログラムの命令を含む。これらの命令は、移動局ＭＳの電源が投入されたときにランダムアクセスメモリ３０３に転送される。
【００７０】
無線インターフェイス３０５は、移動局ＭＳに割り当てられたサブキャリアのクラスタに含まれるサブキャリア上にデータをマップする手段を備える。
【００７１】
無線インターフェイス３０５は、図４に開示されたような符号器を備える。無線インターフェイス３０５は、図５に開示される復号器を備えてもよい。
【００７２】
図４は、周波数領域において本発明の特定の実施形態に係る符号器のアーキテクチャを示す。
【００７３】
伝送されるべきデータは、コード化及び変調モジュール４０によってコード化され、シンボルとして編成され、シンボルの組ｘnが提供される。次に、信号は、周波数領域内でＤＦＴ（離散型フーリエ変換）モジュール４１によって拡散される。変形例では、ＤＦＴモジュールは、高速フーリエ変換モジュール又は他の任意の処理モジュールに置き換えられる。
【００７４】
ＯＦＤＭＡの場合、ＤＦＴモジュールが必要ない場合がある。
【００７５】
周波数領域で拡散されたシンボルは、周波数マッピングモジュール４２（この周波数マッピングモジュール４２は、転送されるべきデータをサブキャリアにマップする）によって、割り当てられた周波数帯域に含まれるサブキャリア上にマップされる。周波数マッピングモジュール４２は、ゼロ挿入機能及び／又は周波数シェーピング機能を備える。
【００７６】
周波数マッピングモジュール４２は、移動局ＭＳに割り当てられた周波数帯域にシンボルをマップする。サブキャリアは１つの連続したサブバンド内に割り当てられないので、周波数帯域は複数のクラスタに分割される。周波数マッピングモジュール４２は、移動局ＭＳに割り当てられた周波数帯域内の様々なクラスタにシンボルをマップする。
【００７７】
図４において周波数マッピングモジュール４２は例を示す。この例では、Ｔ＝Ｔ0＋Ｔ1個のシンボルが２つのクラスタのＴ個のサブキャリアにマップされている。第１のクラスタは、ｎ0〜ｎ0＋Ｔ0−１と記載されたサブキャリアを含み、第２のクラスタはｎ1〜ｎ1＋Ｔ1−１と記載されたサブキャリアを含む。
【００７８】
周波数マッピングモジュール４２によって出力されるシンボルは、ＩＤＦＴ（逆離散フーリエ変換）モジュール４３によって時間ドメインに変換し戻される。
【００７９】
移動局ＭＳのアンテナを介した伝送の前に、オプションの巡回プレフィックス挿入モジュール４４を適用することが可能である。
【００８０】
図５は、本発明の特定の実施形態に係る装置の復号器のアーキテクチャを示す。
【００８１】
少なくとも１つの信号５７が、少なくとも１つの受信アンテナから受信される。同期モジュール５０は、受信された信号５７の同期を取る。
【００８２】
オプションの巡回プレフィックス除去モジュール５１は、同期された信号に対して、巡回プレフィックスが使用されている場合は、それを除去する。
【００８３】
ＤＦＴモジュール５２は、巡回プレフィックスが除去された又は除去されていない同期化された信号に対してＤＦＴを実行する。変形例では、ＤＦＴモジュールが、高速フーリエ変換モジュール又は他の任意の処理モジュールに置き換えられる。
【００８４】
チャネル推定モジュール５４は、ＤＦＴモジュール５２によって提供される信号に影響を与える。チャネル推定モジュール５４の出力は、イコライゼーションモジュール５３に命令を出す。イコライゼーションモジュール５３の出力は、逆ＤＦＴモジュール５５によって処理され、結果として生成された信号を従来のチャネル復号モジュール５６が処理する。
【００８５】
ＯＦＤＭＡの場合、ＩＤＦＴモジュール５５は必要ない場合がある。変形例では、他の処理モジュールに置き換えてもよい。
【００８６】
復調及び復号モジュール５６は、シンボルをデータに復調及び復号する。
【００８７】
図６は、本発明に係るパラメータと、移動局に割り当てられた２つのリソースブロックグループクラスタとの例を示す。
【００８８】
本発明によれば、移動局に割り当てられたリソースブロックグループは、連続的または非連続的である。
【００８９】
図６の例では、２つのリソースブロックグループクラスタが、１つの移動局ＭＳに割り当てられており、かつ２つのクラスタは非連続的である。
【００９０】
図６は、１３個のリソースブロックグループ（０〜１２）を開示している。
【００９１】
ピーク対平均電力比ＰＡＰＲの増大及びシグナリングオーバーヘッドの両方を抑制するには、サイズが等しい２つのクラスタを割り当てることが前提である。
【００９２】
本発明は、どのリソースブロックグループが移動局に割り当てられるかを移動局等の受信機が識別できるようにする、少なくとも３つのパラメータを表す情報を定義することを意図する（例えば、アップリンク伝送の場合に）。
【００９３】
３つのパラメータを挙げると、移動局ＭＳに割り当てられた最初のリソースブロックグループクラスタの識別子Ｎと、移動局に割り当てられたリソースブロックグループクラスタのそれぞれに含まれるリソースブロックグループの数Ｍと、移動局ＭＳに割り当てられた２つのリソースブロックグループクラスタを隔てるリソースブロックグループの数Ｌである。図６の例によれば、Ｎ＝３、Ｍ＝３、Ｌ＝４である。本明細書でさらに記述されるように、連続的なリソース割り当ての場合、Ｌおよび／またはＭは他の特別な値をとることができる。
【００９４】
図７は、移動局に割り当てられたリソースブロックグループを表す少なくとも３つのパラメータを示すために、基地局によって実行されるアルゴリズムの例を開示する。
【００９５】
例えば、本アルゴリズムについて、基地局ＢＳのプロセッサ２００によって実行された場合について説明する。
【００９６】
ここで、変形例では、本アルゴリズムは基地局ＢＳによって実行される代わりに、複数の基地局ＢＳ用の無線セルラー通信装置のコアネットワーク装置（図１に示さず）によって実行されることに注目されたい。
【００９７】
本アルゴリズムは、基地局ＢＳによって処理される移動局ＭＳに、サブキャリアのクラスタが割り当てられるたびに実行される。
【００９８】
ステップＳ７００では、プロセッサ２００はリソースブロックグループを移動局ＭＳに割り当てる。割り当て対象のリソースブロックグループは、例えば、チャネル条件に従って、及び／又は必要なサービス品質に従って割り当てられる。割り当てられたリソースブロックグループは、１つの、または２つの、またはそれ以上のクラスタに分割される。
【００９９】
次のステップＳ７０１では、プロセッサ２００は少なくとも３つのパラメータを決定し、その３つのパラメータにより、移動局はどのリソースブロックグループが移動局に割り当てられるかを識別することができる。
【０１００】
次のステップＳ７０２では、プロセッサ２００は、少なくとも３つのパラメータを表す情報を算出する。
【０１０１】
本発明で実現する第１のモードによれば、リソースブロックグループを同数含んでいる又は含んでいない２つ以上の非連続のクラスタが移動局ＭＳに割り当てられ、この情報は少なくとも３つのパラメータを表す。
【０１０２】
Ｍ、Ｎの考えられる全ての組み合わせを図８に示す。
【０１０３】
図８は、３つのパラメータを表す情報が取り得る各種値を示す第１の方法を表す。この３つのパラメータは、どのリソースブロックグループが移動局に割り当てられるかを移動局が識別できるようにするものである。
【０１０４】
第１の方法では、第１のパラメータは、移動局に割り当てられたリソースブロックグループクラスタそれぞれに含まれるリソースブロックグループの数Ｍであり、第２のパラメータは、移動局ＭＳに割り当てられた最初のリソースブロックグループクラスタの識別子又はインデックスＮであり、第３のパラメータは、移動局ＭＳに割り当てられた各リソースブロックグループクラスタを隔てているリソースブロックグループの数Ｌである。Ｌは少なくとも１に等しい。
【０１０５】
図８に開示した例では、リソースブロックグループの総数ＮRBGが１３に等しい。
【０１０６】
図８の上側に示す数字は、パラメータＮが取り得る様々な値を示す。
【０１０７】
図８の左側の数字は、パラメータＭが取り得る様々な値を示す。
【０１０８】
図８の対（Ｍ、Ｎ）の行と列の交差点に対応する各セルに、値が１つ含まれる。この値は対（Ｍ、Ｎ）に関連付けられている。
【０１０９】
この値は、対（Ｍ、Ｎ）に対してパラメータＬが取り得る異なる値の最大個数に等しい。
【０１１０】
Ｎ＝０からＮ＝ＮRBG−３までのＮの値ごとに、Ｍは１からｆｌｏｏｒ（（ＮRBG−Ｎ−１）／２）までの値を取り得る。ここで、ｆｌｏｏｒ（ｘ）は、ｘの整数部分である。
【０１１１】
対（Ｍ、Ｎ）ごとに、Ｌは１からＮRBG−Ｎ−２＊Ｍまでの値を取り得る。
【０１１２】
ここで、図８に開示した例は、ＮRBGが奇数の場合であることに留意されたい。ＮRBGが偶数の場合、図８の最後の行には１つのセルではなく２つのセルが含まれる。
【０１１３】
Ｍ番目の行における全ての値の合計をＳM1で表すと次式のようになる。
【数１】
2011151802.tif 000003
【０１１４】
特定の行Ｍにおいて、先頭からＮ個の要素の部分合計をＳM1（Ｎ）で表すと次式のようになる。
【数２】
2011151802.tif 000004
【０１１５】
本発明で実現される第１のモードによれば、３つのパラメータＭ、Ｎ、及びＬを表す情報（即ち、決定される値）は、次式に従って決定される。
【数３】
2011151802.tif 000005
【０１１６】
値ＲＩＶg1は、決定された第１及び第２のパラメータの対（Ｍ、Ｎ）よりもランクの低い第１及び第２のパラメータの対（Ｍ、Ｎ）ごとに第３のパラメータＬが取り得る可能な各値の個数の合計に、第３のパラメータＬの値を表す情報を加えたものに等しい。
【０１１７】
対のランク付けを可能にするには、例えば、
第１のパラメータ値の値が、所与の対に含まれる第１のパラメータ値より低い場合、又は、
第１のパラメータ値の値が、所与の対の第１のパラメータ値に等しく、かつ、第２のパラメータ値の値が、所与の対の第２のパラメータ値より低い場合、
第１及び第２のパラメータ対のランクはその所与の対より低いということを考慮に入れる必要がある。
【０１１８】
第３のパラメータＬの値を示す情報は、例えば、Ｌに等しい。
【０１１９】
ＲＩＶg1の最大値は、
【数４】
2011151802.tif 000006
で表すことができ、この値は、Ｍ、Ｎ、Ｌの可能な組み合わせの個数に等しい。
【０１２０】
したがって、ＲＩＶg1を表現するには、
【数５】
2011151802.tif 000007
ビットのシグナリングが必要とされ、ここで、ｃｅｉｌ（ｘ）は厳密にｘより大きい整数のうちで最も小さい整数である。
【０１２１】
図８に開示した例では、列はＮの可能な値ごとに表され、行はＭの値ごとに表されることに留意されたい。
【０１２２】
列をＭの可能な値ごとに表し、行をＮの値ごとに表す場合に適合させるには、前述した式を簡単に修正すればよい。
【０１２３】
別の変形例では、パラメータＭ又はＮをパラメータＬによって置き換えることも可能である。前述した式から対応する式を簡単に派生させることも可能である。
【０１２４】
第１及び第２のパラメータからなる対をランク付けする他のルールを想定することも可能である。前述した式から対応する式を簡単に派生させることも可能である。
【０１２５】
図９は、本発明を実現する第１のモードを実現する特定のモードに従って使用される表を示す。
【０１２６】
特定の実現モードによれば、移動局ＭＳに割り当てられた２つ又は３つの連続しないリソースブロックグループクラスタの有するリソースブロックグループ個数が同じであるかどうかを示すために、２つの補足ビットを使用する。
【０１２７】
補足ビット値が「００」に等しい場合には、２つの非連続のクラスタがリソースブロックグループをそれぞれＭ個有し、これらが移動局ＭＳに割り当てられる。
【０１２８】
補足ビット値が「０１」に等しい場合には、２つの非連続のクラスタが、それぞれ、リソースブロックグループをｆｌｏｏｒ（２Ｍ／３）個、および、２Ｍ−ｆｌｏｏｒ（２Ｍ／３）個有し、これらが移動局ＭＳに割り当てられる。
【０１２９】
補足ビット値が「１０」に等しい場合には、２つの非連続のクラスタが、それぞれ、リソースブロックグループをｆｌｏｏｒ（４Ｍ／３）個、および、２Ｍ−ｆｌｏｏｒ（４Ｍ／３）個有し、これらが移動局ＭＳに割り当てられる。
【０１３０】
補足ビット値が「１１」に等しい場合には、３つの非連続のクラスタが、それぞれ、リソースブロックグループをＡ＝ｆｌｏｏｒ（２Ｍ／３）個、Ｂ＝ｆｌｏｏｒ（（２Ｍ−ｆｌｏｏｒ（２Ｍ／３））／２）個、および２Ｍ−Ａ−Ｂ個有し、これらが移動局ＭＳに割り当てられる。
【０１３１】
補足ビット値が「１１」に等しい場合には、第１のリソースブロックグループクラスタと第２のリソースブロックグループクラスタとの間隔はｆｌｏｏｒ（Ｌ／２）に等しく、第２のリソースブロックグループクラスタと第３のリソースブロックグループクラスタとの間隔はｃｅｉｌ（Ｌ／２）に等しい。
【０１３２】
本発明で実現する第２のモードによれば、移動局ＭＳには２つの連続クラスタ又は非連続クラスタが割り当てられる。
【０１３３】
Ｍ、Ｎ、Ｌの考えられる全ての組み合わせを図１０に示す。
【０１３４】
図１０では、３つのパラメータを表す情報が取り得る様々な値を示す第２の方法を示す。この３つのパラメータにより、移動局は、どのリソースブロックグループが移動局に割り当てられるかを識別することができる。
【０１３５】
図１０で開示する例では、リソースブロックグループの総数ＮRBGは１３に等しい。
【０１３６】
図１０の上側の０〜１２の数字は、パラメータＮが取り得る異なる値を表している。
【０１３７】
図１０の左側の１〜６の数字は、パラメータＭが取り得る異なる値を示す。Ｎ＝０からＮ＝ＮRBG−３までのＮの値ごとに、Ｍは１からｆｌｏｏｒ（（ＮRBG−Ｎ−１）／２）までの値を取り得る。ここで、ｆｌｏｏｒ（ｘ）は、ｘの整数部分である。
【０１３８】
図１０の対（Ｍ、Ｎ）の行と列の交差点に対応する各セルに、値が１つ含まれる。この値は対（Ｍ、Ｎ）に関連付けられている。
【０１３９】
この値は、第３のパラメータが取り得る可能な値の個数に等しい。
【０１４０】
本発明で実現する第１のモードで開示されているように、Ｌは、非連続的なリソースブロックグループクラスタについて対（Ｍ、Ｎ）ごとに、１からＮRBG−２＊Ｍまでの値を取り得る。
【０１４１】
本発明で実現する第２のモードによれば、第３のパラメータ値Ｌ＝０を使用して、偶数サイズ２Ｍの連続的な全ての割り当てをシグナリングする。この割り当ては最大でもＮRBG−３の位置から始まるものである。
【０１４２】
本発明で実現する第２のモードによれば、第３のパラメータ値Ｌ＝ＮRBG−Ｎ−２＊Ｍ＋１を使用して、奇数サイズ２Ｍ−１の連続的な全ての割り当てをシグナリングする。この割り当ては最大でもＮRBG−３の位置から始まるものである。当然ながら、他の選択肢を使用して連続したケースをシグナリングすることもできる。例えば、偶数サイズの割り当ての場合はＬ＝０、偶数サイズの割り当ての場合はＬ＝ＮRBG−Ｎ−２＊Ｍ＋１が使用される。
【０１４３】
図１０の表内の対（Ｍ、Ｎ）に対応する値について言えば、図８内の対（Ｍ、Ｎ）に対応する値と比較して２つだけ増えている。
【０１４４】
言い換えると、所与の第１及び第２のパラメータからなる対（Ｍ、Ｎ）に対して非連続な割り当てを想定する場合、対（Ｍ、Ｎ）に関連付けられた値は、２つのクラスタを隔てるリソース数が取り得る可能な値の個数に、２を加えたものの合計に等しい。
【０１４５】
Ｍ＝１かつＮ＝ＮRBG−２の場合（即ち、Ｎが１１の場合）、最後の２つのリソースブロックグループが移動局ＭＳに割り当てられるか、または、Ｎ＝ＮRBG−２の位置にあるリソースブロックグループだけが移動局ＭＳに割り当てられる。
【０１４６】
Ｍ＝１かつＮ＝ＮRBG−１の場合（即ち、Ｎが１２の場合）、最後のリソースブロックグループが移動局ＭＳに割り当てられる。
【０１４７】
Ｎ＝０からＮ＝ＮRBG−３までの場合には、
‐第１のパラメータの値が、所与の対に含まれる第１のパラメータの値より小さい場合、又は、
‐第１のパラメータの値が、所与の対に含まれる第１のパラメータの値に等しく、且つ、第２のパラメータの値が、所与の対に含まれる第２のパラメータの値より小さい場合、
その第１及び第２パラメータからなる対のランクは、その所与の対のランクより低い。
【０１４８】
太い境界で囲まれた領域の外側にある対（Ｍ＝１、Ｎ＝ＮRBG−２）及び対（Ｍ＝１、Ｎ＝ＮRBG−１）は、図１０のＮRBG−３以下のＮに対応する他のいずれの対よりも高いランクを有する。
【０１４９】
太線の領域内のＭ番目の行にある全ての値の合計をＳM2で表すと次式のようになる。
【数６】
2011151802.tif 000008
【０１５０】
所与の行Ｍにおいて、先頭からＮ個の要素の部分合計をＳM2（Ｎ）で表すと次式のようになる。
【数７】
2011151802.tif 000009
【０１５１】
本発明で実現する第２のモードによれば、３つのパラメータＭ、Ｎ、及びＬを表す情報、言い換えると、決定される値は、以下の式に従って決定される。
リソースブロックグループクラスタが非連続で２つの割り当てられる場合には、
【数８】
2011151802.tif 000010
で表され、リソースブロックグループが２Ｍ個連続的に割り当てられる場合には、
【数９】
2011151802.tif 000011
で表され、リソースブロックグループが２Ｍ−１個連続的に割り当てられる場合には、
【数１０】
2011151802.tif 000012
で表され、太線の領域の外側にある最後の２個のリソースブロックグループに対応する３つが割り当てられる場合には、
【数１１】
2011151802.tif 000013
で表される。
ここで、ＮRBG−２の位置にあるリソースブロックグループが移動局ＭＳに割り当てられる場合、ｓｐｅｃは１となり、ＮRBG−１の位置にあるリソースブロックグループが移動局ＭＳに割り当てられる場合、ｓｐｅｃは２となり、ＮRBG−２の位置にあるリソースブロックグループ及びＮRBG−１の位置にあるリソースブロックグループが移動局ＭＳに割り当てられる場合、ｓｐｅｃは３となる。
【０１５２】
リソースブロックグループクラスタが２つ非連続で割り当てられた場合に関する値ＲＩＶg2は、第３のパラメータが取り得る可能な値の個数の合計に等しい。
【０１５３】
言い換えると、２つの非連続で割り当てられたリソースブロックグループクラスタに関する値ＲＩＶg2は、「非連続なリソース割り当てを行うことが前提とされている場合に、決定された第１及び第２のパラメータの対よりもランクが低い第１及び第２のパラメータの対のそれぞれに対して、２つのクラスタを隔てるリソースの個数が取り得る可能な値の個数に２を加えたものの合計に、第３のパラメータの値を表す情報を加えたもの」に等しい。２を加えることは、ＮＵＬＬ値とＮRBG−Ｎ−２＊Ｍ＋１値を取るＬを表すと同時に、決定された第１及び第２のパラメータの対（Ｍ、Ｎ）よりもランクが低い第１及び第２のパラメータの対（Ｍ、Ｎ）ごとに、偶数又は奇数のサイズの連続的なリソースブロックグループを割り当てることができることを表す。
【０１５４】
リソースブロックグループの数が偶数２Ｍである１つのクラスタに関する値ＲＩＶg2は、ＮがＮRBG−３より低い場合には、決定された第１及び第２のパラメータの対よりもランクが低い第１及び第２のパラメータの対のそれぞれに対して、第３のパラメータが取り得る可能な値の個数の合計に等しい。
【０１５５】
リソースブロックグループの数が奇数２Ｍ−１である１つのクラスタに関する値ＲＩＶg2は、ＮがＮRBG−３より低い場合には、決定された第１及び第２のパラメータの対よりもランクが低い第１及び第２のパラメータの各対に対して、第３のパラメータが取り得る可能な値の個数の合計に、無線通信ネットワークのリソース数の合計を加え、１を加え、第１のパラメータの２倍を減じ、第２パラメータの値を減じた値に等しい。
【０１５６】
ＲＩＶg2の最大値は
【数１２】
2011151802.tif 000014
となり、これはＭ、Ｎ、Ｌの可能な組み合わせ個数に等しい。
【０１５７】
したがって、ＲＩＶg2を表すには、
【数１３】
2011151802.tif 000015
ビットのシグナリングが必要である。
【０１５８】
図１０の例で開示した例では、列はＮの可能な値ごとに表され、行はＭの値ごとに表されるということをここで留意されたい。
【０１５９】
列をＭの可能な値ごとに表し、行をＮの値ごとに表す場合に適合するために、前述した式を簡単に変更することが可能である。
【０１６０】
別の変形例では、パラメータＭ又はＮをパラメータＬと置き換えることも可能である。対応する式もまた、上述の式から容易に導くことができる。
【０１６１】
別の変形例では、Ｌの特別な値を使用してサイズ２Ｍ＋１の奇数割り当てをシグナリングすることができる。３つの特殊なケースが、それぞれ、リソースブロックの最後の２つのブロック、最後のブロック、および最初のブロックを割り当てるケースに対応する。リソースブロックグループが奇数個連続的に割り当てられる場合の第１のパラメータは、リソースブロックグループの総数から１を引き算し、２で割り算した値となる。この変形例に対応するために、式は容易に変更することができる。
【０１６２】
本発明で実現する第３のモードによれば、Ｋ個（Ｋは３以上）のリソースブロックグループクラスタが非連続的に等間隔で移動局ＭＳに割り当てられる。
【０１６３】
ここで、Ｋの値は、基地局ＢＳ及び移動局ＭＳにとって既知の、事前に決定された値とすることが可能なことに留意されたい。Ｋの値は、基地局ＢＳで決定され、移動局ＭＳへ転送される値となり得る。
【０１６４】
図１２は、３つのパラメータを表す情報が取り得る各種値を示す第３の方法を表す。３つのパラメータは、どのリソースブロックグループが移動局に割り当てられるかを移動局が識別できるようにするものである。
【０１６５】
第３の方法では、第１のパラメータは、移動局に割り当てられたＫ個のリソースブロックグループクラスタのそれぞれに含まれるリソースブロックグループの個数Ｍとなり、第２のパラメータは、移動局ＭＳに割り当てられる最初のリソースブロックグループクラスタの識別子又はインデックスＮとなり、第３のパラメータは、移動局ＭＳに割り当てられたリソースブロックグループクラスタのうち任意の隣接する２個のものを隔てるリソースブロックのグループの個数Ｌとなる。Ｌは少なくとも１に等しい。
【０１６６】
移動局ＭＳに割り当てられた２つのリソースブロックグループクラスタを分離するギャップの中に、移動局ＭＳに割り当てられた他のリソースブロックグループクラスタが存在しない場合には、移動局ＭＳに割り当てられたそれら２つのリソースブロックグループクラスタは、隣接するリソースブロックグループクラスタである。
【０１６７】
図１２で開示する例では、リソースブロックグループの総数ＮRBGは１３に等しく、Ｋ＝３個のリソースブロックグループクラスタが移動局に割り当てられる。
【０１６８】
図１２の上側の数値は、パラメータＮが取り得る異なる値を示す。
【０１６９】
図１２の左側の数値は、パラメータＭが取り得る異なる値を示す。
【０１７０】
図１２の対（Ｍ、Ｎ）の行および列の交差点に対応する各セル内に、値が１つ含まれる。この値は対（Ｍ、Ｎ）に関連付けられる。値は、対（Ｍ、Ｎ）に対してパラメータＬが取り得る異なる値の最大個数に等しい。
【０１７１】
Ｎ＝０からＮ＝ＮRBG−２Ｋ＋１までの各値については、Ｍは１からｆｌｏｏｒ（（ＮRBG−Ｋ−Ｎ＋１）／Ｋ）までの値を取ることができ、ここで、ｆｌｏｏｒ（ｘ）はｘの整数部分である。対（Ｍ、Ｎ）ごとに、Ｌは１からｆｌｏｏｒ（（ＮＲＢＧ−Ｎ−ＫＭ）／（Ｋ−１））までの値を取り得る。
【０１７２】
Ｍ番目のラインの値の全ての合計をＳM3で表すと、次式のようになる。
【数１４】
2011151802.tif 000016
【０１７３】
特定の行Ｍにおいて、先頭からＮ個の要素の部分合計をＳM3（Ｎ）で表すと、次式のようになる。
【数１５】
2011151802.tif 000017
【０１７４】
本発明で実現する第３のモードによれば、３つのパラメータＭ、Ｎ、Ｌを表す情報は、次の式に従って求められる。
【数１６】
2011151802.tif 000018
【０１７５】
したがって、ＲＩＶg3を表すには、
【数１７】
2011151802.tif 000019
ビットのシグナリングが必要である。
【０１７６】
Ｋが、基地局ＢＳ及び移動局ＭＳにとって既知の予め決定された値である場合、余分なシグナリングは必要ない。
【０１７７】
基地局ＢＳによってＫが決定され、移動局ＭＳに転送される場合、追加のシグナリングが必要である。Ｋの値を移動局ＭＳへシグナリングするにはｃｅｉｌ（ｌｏｇ２（Ｋｍａｘ−１））ビットが必要とされる。ここで、Ｋｍａｘは、Ｋの最大値である。
【０１７８】
本発明で実現する第４のモードによれば、任意の数のクラスタについて全ての可能な割り当てが最適にシグナリングされる。クラスタ数Ｋを予め決定したり個別に転送する必要はない。
【０１７９】
次の式で表すことができる。
【数１８】
2011151802.tif 000020
この式は、関係する合計が全てＫに依存するので、Ｋに依存する。
また、
【数１９】
2011151802.tif 000021
の最大値を
【数２０】
2011151802.tif 000022
で表すと、次式のようになる。
【数２１】
2011151802.tif 000023
【０１８０】
４つの次元（Ｎ、Ｍ、Ｌ、Ｋ）に対応する、等間隔かつ同等のＫ個のクラスタの所与の割り当てをシグナリングするために、次の式を定義する。
【数２２】
2011151802.tif 000024
【０１８１】
実現する第４のモードでは、割り当てられたリソースに対応する第１及び第２のパラメータからなる対は（Ｍ、Ｎ）であり、第３のパラメータはＬであり、Ｋは本発明で実現する第３のモードで開示される第４のパラメータである。Ｋの値が固定されている場合、対（Ｍ、Ｎ）は既に開示されたようにランク付けされ、対（Ｍ、Ｎ）のグループはＫに応じて（例えば、Ｋパラメータの昇順に）更にランク付けされる。
【０１８２】
対のランク付けを可能にするには、例えば、所与の対（Ｍ、Ｎ）及び所与の第４のパラメータＫについては、第１及び第２のパラメータの対（Ｍ、Ｎ）のランクは、以下の場合には、所与の対（Ｍ、Ｎ）のランクより低いということを考慮に入れる必要がある。すなわち、
−第４のパラメータＫの値が所与の第４のパラメータＫの値より低いか、または、
−第４のパラメータＫの値が第４の所与のパラメータＫの値に等しく、かつ、第１のパラメータの値が所与の対の第１のパラメータの値より低いか、または、
−第４のパラメータの値が所与の第４のパラメータＫの値に等しく、第１のパラメータの値が所与の対の第１のパラメータの値に等しく、第２のパラメータの値が所与の対の第２のパラメータの値より低い。
【０１８３】
対のランク付けの方法は他にも存在し得る。他のタイプのランク付けに対応するよう、上記の式は簡単に変更することができる。
【０１８４】
次のステップＳ７０５では、プロセッサ２００は、少なくとも３つのパラメータを表す情報を移動局に転送するための命令を出す。
【０１８５】
図１１は、本発明に係る移動局によって実行されるアルゴリズムの例を開示する。
【０１８６】
より正確には、本アルゴリズムは、移動局ＭＳのプロセッサ３００によって実行される。
【０１８７】
ステップＳ１１０では、移動局ＭＳは少なくとも３つのパラメータを表す情報を受信する。
【０１８８】
次のステップＳ１１１では、移動局ＭＳは、少なくとも３つのパラメータを表す情報から少なくとも３つのパラメータを受信する。
【０１８９】
本発明で実現する第１のモードによれば、３つ揃い（Ｍ、Ｎ、Ｌ）を識別するには、プロセッサ３００は次式を満たすＭの値を求めることによりＭを決定する。
【数２３】
2011151802.tif 000025
Ｓ0はＮｕｌｌ値と見なされる。
【０１９０】
プロセッサ３００は、次式を満たすＮの値を求めることによりＮを決定する。
【数２４】
2011151802.tif 000026
【０１９１】
プロセッサ３００は、
【数２５】
2011151802.tif 000027
【０１９２】
を求める。
プロセッサ３００は、Ｍ個のリソースブロックグループを含む２つの同等なクラスタが非連続的に割り当てられ、Ｌ個のリソースブロックグループによって隔てられ、第１のクラスタの開始位置はＮによって与えられると判断する。
【０１９３】
本発明で実現する第１モードで実現する特定のモードによれば、プロセッサ３００は、ステップＳ１１０で受信した追加ビットの値に従って、同等な２つ又は３つのリソースブロックグループクラスタが非連続的に割り当てられていると判断する。
【０１９４】
本発明で実現する第２のモードによれば、３つ揃い（Ｍ、Ｎ、Ｌ）を識別するために、プロセッサ３００ではＲＩＶg2が
【数２６】
2011151802.tif 000028
より大きいかをチェックし、大きい場合は、変数「ｓｐｅｃ」に関して受容された規則に応じて、最後のリソースブロックグループまたは最後から２個のリソースブロックグループについて対応する割り当てを選択する。
【０１９５】
或いは、プロセッサ３００は、次式
【数２７】
2011151802.tif 000029
を満たすＭの値を求めることでＭを決定する。ここで、Ｓ0は０になると見なされる。
【０１９６】
プロセッサ３００は、次式
【数２８】
2011151802.tif 000030
になるようなＮの値を求めてＮを決定する。
【０１９７】
プロセッサ３００は、
【数２９】
2011151802.tif 000031
を決定する。
【０１９８】
Ｌ＝０の場合、プロセッサ３００は、２Ｍ個のリソースブロックグループからなる１つのクラスタの連続的な割り当てであり、クラスタは位置Ｎにおいて開始すると判断する。
【０１９９】
Ｌ＝ＮＲＢＧ−Ｎ−２Ｍ＋１の場合、プロセッサ３００は、２Ｍ−１個のリソースブロックグループからなる１つのクラスタの連続的な割り当てであり、クラスタは位置Ｎにおいて開始すると判断する。
【０２００】
或いは、プロセッサ３００は、２つの同等なリソースブロッククラスタがそれぞれＭ個のグループを含む非連続の割り当てであり、２つのクラスタはＬ個のリソースブロックグループによって隔てられており、第１のクラスタの開始位置はＮによって与えられると判断する。
【０２０１】
実現する第３のモードによれば、３つ揃い（Ｍ、Ｎ、Ｌ）を識別するために、プロセッサ３００は次式
【数３０】
2011151802.tif 000032
を満たすＭの値を求めてＭを決定する。Ｓ0はＮｕｌｌ値と見なされる。
【０２０２】
プロセッサ３００は次式
【数３１】
2011151802.tif 000033
を満たすＮの値を求めてＮを決定する。
【０２０３】
プロセッサ３００は、
【数３２】
2011151802.tif 000034
を求める。
【０２０４】
或いは、プロセッサ３００は、Ｋ個の同等なクラスタがＭ個のリソースブロックグループを含み、非連続に割り当てられ、Ｌ個のリソースブロックグループによって隔てられており、第１のクラスタの開始位置はＮによって与えられると判断する。
【０２０５】
Ｋが基地局ＢＳによって決定され、移動局ＭＳに転送される場合、プロセッサ３００はまず、Ｋの値を特定し、次に前述したようにＭ、Ｎ、Ｌの値を特定する。
【０２０６】
本発明で実現する第４のモードによれば、シグナリングされた値
【数３３】
2011151802.tif 000035
から対応する（Ｎ、Ｍ、Ｌ、Ｋ）を取得するには、プロセッサ３００はまず、Ｋを、
【数３４】
2011151802.tif 000036
が
【数３５】
2011151802.tif 000037
より小さくなるようなＫの値のうち最大値として求める。
次に、受信した値から
【数３６】
2011151802.tif 000038
を引き算し、本発明で実現する第３のモードのように先に進む。
【０２０７】
次のステップＳ１１２で、移動局ＭＳは少なくとも３つのパラメータに対応するリソースブロックグループを識別する。
【０２０８】
当然ながら、本発明の範囲から逸脱することなく、前述した発明の実施形態に対して多くの変更を加えることが可能である。
【図１】
2011151802.tif 000039
【図２】
2011151802.tif 000040
【図３】
2011151802.tif 000041
【図４】
2011151802.tif 000042
【図５】
2011151802.tif 000043
【図６】
2011151802.tif 000044
【図７】
2011151802.tif 000045
【図８】
2011151802.tif 000046
【図９】
2011151802.tif 000047
【図１０】
2011151802.tif 000048
【図１１】
2011151802.tif 000049
【図１２】
2011151802.tif 000050
【外国語明細書】
2011151802.tif 000051
2011151802.tif 000052
2011151802.tif 000053
2011151802.tif 000054
2011151802.tif 000055
2011151802.tif 000056
2011151802.tif 000057
2011151802.tif 000058
2011151802.tif 000059
2011151802.tif 000060
2011151802.tif 000061
2011151802.tif 000062
2011151802.tif 000063
2011151802.tif 000064
2011151802.tif 000065
2011151802.tif 000066
2011151802.tif 000067
2011151802.tif 000068
2011151802.tif 000069
2011151802.tif 000070
2011151802.tif 000071
2011151802.tif 000072
2011151802.tif 000073
2011151802.tif 000074
2011151802.tif 000075
2011151802.tif 000076
2011151802.tif 000077
2011151802.tif 000078
2011151802.tif 000079
2011151802.tif 000080
2011151802.tif 000081
2011151802.tif 000082
2011151802.tif 000083
2011151802.tif 000084
2011151802.tif 000085
2011151802.tif 000086
2011151802.tif 000087
2011151802.tif 000088
2011151802.tif 000089